【手続補正書】
【提出日】令和2年11月12日(2020.11.12)
【手続補正１】
【補正対象書類名】特許請求の範囲
【補正対象項目名】全文
【補正方法】変更
【補正の内容】
【特許請求の範囲】
【請求項１】
電池筐体、電極アセンブリ、キャリアイオン、および前記電池筐体内の非水性液体電解質を含む、充電状態と放電状態との間でサイクルするための二次電池であって、
前記電極アセンブリが、一群のアノード構造、一群のカソード構造、および前記一群のアノード構造および前記一群のカソード構造の部材を電気的に分離する電気絶縁性微孔質セパレータ材料を含み、前記一群のアノード構造および前記一群のカソード構造が、長手方向に交互に並んで配置され、前記一群のアノード構造の各部材が、前記二次電池が充電状態にあるときに第１の断面積Ａ１を有し、前記二次電池が放電状態にあるときに第２の断面積Ａ２を有し、前記一群のカソード構造の各部材が、前記二次電池が充電状態にあるときに第１の断面積Ｃ１を有し、前記二次電池が放電状態にあるときに第２の断面積Ｃ２を有し、前記一群のアノード構造および前記一群のカソード構造の部材の断面積が、前記長手方向に平行な第１の長手方向面において測定され、
前記電極アセンブリが、充電状態と放電状態との間の前記二次電池のサイクルにおける前記電極アセンブリの前記長手方向への増大を少なくとも部分的に抑制する一組の電極制約部をさらに含み、
前記一組の電極制約部が、一次制約システムと二次制約システムとを備え、
ｉ）前記一次制約システムは、第１および第２の一次増大制約部および少なくとも１つの一次接続部材を備え、前記第１および第２の一次増大制約部が前記長手方向に互いに離間し、前記少なくとも１つの一次接続部材が前記第１および第２の一次増大制約部を接続し、前記一次制約システムが、前記二次電池のサイクル時に前記電極アセンブリの前記長手方向における増大を少なくとも部分的に抑制し、
ｉｉ）前記二次制約システムは、第２の方向に分離され且つ少なくとも１つの二次接続部材によって接続された第１および第２の二次増大制約部を含み、前記二次制約システムが、前記二次電池のサイクル時に前記電極アセンブリの第２の方向への増大を少なくとも部分的に抑制し、前記第２の方向が前記長手方向に対して直交していると共に、
前記一群のカソード構造の各部材が、カソード活物質層を含み、前記一群のアノード構造の各部材が、前記二次電池が放電状態から充電状態に充電されるときに、アノード活物質のモルあたり複数モルのキャリアイオンを受容する容量を有するアノード活物質層を含み、
Ａ１が、前記一群のアノード構造のサブセットの各部材についてＡ２よりも大きく、Ｃ１が、前記一群のカソード構造のサブセットの各部材についてＣ２よりも小さく、
前記充電状態が、前記二次電池の定格容量の少なくとも７５％であり、前記放電状態が、前記二次電池の定格容量の２５％未満である、二次電池。
【請求項２】
前記一群のアノード構造のサブセットが、前記二次電池が充電状態にあるときに第１の中央断面積ＭＡＡ１を有し、前記二次電池が放電状態にあるときに第２の中央断面積ＭＡＡ２を有し、前記一群のカソード構造のサブセットが、前記二次電池が充電状態にあるときに第１の中央断面積ＭＡｃ１を有し、前記二次電池が放電状態にあるときに第２の中央断面積ＭＡｃ２を有し、ＭＡＡ１がＭＡＡ２よりも大きく、ＭＡＣ１がＭＡＣ２よりも小さい、請求項１に記載の二次電池。
【請求項３】
前記一群のアノード構造のサブセットが少なくとも５個の部材を含み、前記一群のカソード構造が少なくとも５個の部材を含む、請求項１又は２に記載の二次電池。
【請求項４】
前記一群のアノード構造のサブセットが、全ての前記一群のアノード構造の少なくとも７５％を含み、前記一群のカソード構造が、全ての前記一群のカソード構造の少なくとも７５％を含む、請求項１から３のいずれかに記載の二次電池。
【請求項５】
前記一群のアノード構造の部材が長さＬＡを含み、前記一群のカソード構造の部材が、前記部材の底部から前記部材の頂部まで延びる長さＬＣを含み、前記底部が、前記部材が延在する面に近接し、前記頂部が、前記面に対して遠位にあり、前記第１の長手方向面が、前記長さＬＡおよびＬＣの方向に対して垂直である、請求項１から４のいずれかに記載の二次電池。
【請求項６】
前記一群のカソードの各部材が、直交する高さＨＣ、幅ＷＣ、および長さＬＣの方向を含み、前記高さＨＣおよび前記幅ＷＣのそれぞれに対する前記長さＬＣの比が少なくとも５：１である、請求項１から５のいずれかに記載の二次電池。
【請求項７】
前記長手方向面がＺ−Ｙ平面内にあり、Ｙが前記長手方向に平行な軸に対応し、Ｚが前記長手方向軸に対して直交し、且つ前記一群のアノード構造および一群のカソード構造の部材の前記長さＬＡおよびＬＣにもそれぞれ直交する軸に対応する、請求項１に記載の二次電池。
【請求項８】
前記長手方向面が、Ｙ軸に沿って回転したときにＺ−Ｙ平面から１５度未満離れた平面内にあり、前記Ｙ軸が、前記長手方向に平行な軸に対応し、Ｚが、前記長手方向軸に対して直交し、前記一群のアノード構造および前記一群のカソード構造の部材の前記長さＬＡおよびＬＣにもそれぞれ直交する軸に対応する、請求項１に記載の二次電池。
【請求項９】
前記長手方向面が、Ｙ軸に沿って回転したときにＺ−Ｙ平面から４５度よりも大きく９０度未満の平面内にあり、前記Ｙ軸が、前記長手方向に平行な軸に対応し、Ｚが、前記長手方向軸に対して直交し、前記一群のアノード構造および前記一群のカソード構造の部材の前記長さＬＡおよびＬＣにもそれぞれ直交する軸に対応する、請求項１に記載の二次電池。
【請求項１０】
前記長手方向面がＸＹ平面内にあり、前記Ｙ軸が前記長手方向に平行な軸に対応し、前記Ｘ軸が、前記長手方向に対して直交し、且つそれぞれ前記一群のアノード構造および前記一群のカソード構造の部材の前記長さＬＡおよびＬｃにも平行である軸に対応する、請求項１に記載の二次電池。
【請求項１１】
前記一群のアノード構造のサブセットの少なくとも１つの部材が、前記二次電池が充電状態にあるときに第１の中央断面積ＭＬＡ１を有し、前記二次電池が放電状態にあるときに第２の中央断面積ＭＬＡ２を有し、前記一群のカソード構造のサブセットの少なくとも１つの部材が、前記二次電池が充電状態にあるときに第１の中央断面積ＭＬＣ１を有し、前記二次電池が放電状態にあるときに第２の中央断面積ＭＬＣ２を有し、前記中央断面積ＭＬＡ１、ＭＬＡ２、ＭＬＣ１およびＭＬＣ２が、各部材について前記長手方向に平行な複数の長手方向面において測定され、
ＭＬＡ１が、前記一群のアノード構造のサブセットの各部材についてＭＬＡ２よりも大きく、ＭＬＣ１が、前記一群のカソード構造のサブセットの各部材についてＭＬＣ２よりも小さい、請求項１から１０のいずれかに記載の二次電池。
【請求項１２】
前記中央断面積ＭＬＡ１、ＭＬＡ２、ＭＬＣ１、およびＭＬＣ２が、前記一群のアノード構造のサブセットおよび前記一群のカソード構造のサブセットについての少なくとも３つの長手方向面において測定される中央断面積である、請求項１から１１のいずれかに記載の二次電池。
【請求項１３】
前記一群のアノード構造のサブセットの前記第１の中央断面積ＭＡＡ１が、４．７×１０３μｍ２から６．８×１０６μｍ２の範囲内であり、前記一群のアノード構造のサブセットの前記第２の中央断面積ＭＡＡ２が、１．６×１０３μｍ２から７．１×１０６μｍ２の範囲内である、請求項２〜１２のうちいずれかに記載の二次電池。
【請求項１４】
前記一群のカソード構造のサブセットの前記第２の中央断面積ＭＡＣ２が、１．０５×１０３μｍ２から９．５×１０６μｍ２の範囲内であり、前記一群のカソード構造のサブセットの前記第１の中央断面積ＭＡＣ１が、２．６×１０２μｍ２から９．０３×１０６μｍ２の範囲内である、請求項２〜１３のうちいずれかに記載の二次電池。
【請求項１５】
前記一群のアノード構造の部材のサブセットが、前記二次電池が充電状態にあるときの少なくとも２つの部材を有するサブセットについて、前記サブセットの各部材についての前記長手方向に平行な複数の長手方向面において測定される断面積の中央値である第１の中央断面積ＭＯＡ１と、前記二次電池が放電状態にあるときの少なくとも２つの部材を有するサブセットについて、前記サブセットの各部材についての前記長手方向に平行な複数の長手方向面において測定される断面積の中央値である第２の中央断面積ＭＯＡ２とを有し、
前記一群のカソード構造の部材のサブセットが、前記二次電池が充電状態にあるときの少なくとも２つの部材を有するサブセットについて、前記サブセットの各部材についての前記長手方向に平行な複数の長手方向面において測定される断面積の中央値である第１の中央断面積ＭＯＣ１と、前記二次電池が放電状態にあるときの少なくとも２つの部材を有するサブセットについて、前記サブセットの各部材についての前記長手方向に平行な複数の長手方向面において測定される断面積の中央値である第２の中央断面積ＭＯＣ２とを有し、
ＭＯＡ１がＭＯＡ２よりも大きく、ＭＯＣ１がＭＯＣ２よりも小さい、請求項１１〜１４のうちいずれかに記載の二次電池。
【請求項１６】
前記一群のアノード構造のサブセットの前記第１の中央断面積ＭＯＡ１が、１００μｍ２から１．５×１０７μｍ２の範囲内であり、前記一群のアノード構造のサブセットの前記第２の中央断面積ＭＯＡ２が、５００μｍ２から３×１０７μｍ２の範囲内である、請求項１５に記載の二次電池。
【請求項１７】
前記一群のアノード構造の部材が、前記二次電池が充電状態にあるときに第１の幅ＷＡ１を有し、前記二次電池が放電状態にあるときに前記第２の幅ＷＡ２を有し、前記一群のカソード構造の部材が、前記二次電池が充電状態にあるときに第１の幅ＷＣ１を有し、前記二次電池が放電状態にあるときに第２の幅ＷＣ２を有し、ＷＡ１が、前記一群のアノード構造のサブセットについてＷＡ２よりも大きく、ＷＣ１が、前記一群のカソード構造のサブセットについてＷＣ２よりも小さく、前記幅ＷＡ１、ＷＡ２、ＷＣ１およびＷＣ２が、前記長手方向において測定される、請求項１から１６のいずれかに記載の二次電池。
【請求項１８】
前記幅が、直交Ｘ−Ｙ平面と前記長手方向面の二等分線によって形成される線で測定され、前記Ｙ軸が前記長手方向に平行であり、前記Ｘ軸が、前記一群のアノード構造および前記一群のカソード構造の部材の前記長さＬＡおよびＬＣの方向に平行である、請求項１７に記載の二次電池。
【請求項１９】
前記ＸＹ−平面が、前記カソード構造の高さＨの中点に位置し、前記高さが、前記長手方向と前記一群のアノード構造および前記一群のカソード構造の部材の前記長さＬＡおよびＬＣの方向との両方に直交する方向において測定される、請求項１７〜１８のうちいずれかに記載の二次電池。
【請求項２０】
前記ＸＹ平面が、前記カソード構造の全高Ｈの２５％から７５％のいずれかである前記カソード構造の前記高さに沿って位置し、前記高さが、前記長手方向と前記一群のアノード構造および前記一群のカソード構造の部材の前記長さＬＡおよびＬＣの方向との両方に直交する方向において測定される、請求項１７に記載の二次電池。
【請求項２１】
前記第１の幅ＷＡ１が、５０μｍから２０００μｍの範囲内であり、前記第２の幅ＷＡ２が、１５μｍから２５００μｍの範囲内である、請求項１７〜２０のうちいずれかに記載の二次電池。
【請求項２２】
前記第１の幅ＷＣ１が、２μｍから５０００μｍの範囲内であり、前記第２の幅ＷＣ２が、５μｍから５０００μｍの範囲内である、請求項１７〜２１のうちいずれかに記載の二次電池。
【請求項２３】
ＷＡ２に対するＷＡ１の比が少なくとも１．０１：１である、請求項１７〜２２のうちいずれかに記載の二次電池。
【請求項２４】
前記一群のカソード構造の部材が多孔質のカソード活物質の層を含み、前記カソード活物質の層が、前記二次電池が充電状態にあるときに第１の多孔度Ｐ１を有し、前記二次電池が放電状態にあるときに第２の多孔度Ｐ２を有し、前記第１の多孔度Ｐ１が前記第２の多孔度Ｐ２よりも小さい、請求項１から２３のいずれかに記載の二次電池。
【請求項２５】
前記第１の多孔度Ｐ１が３０％以下であり、前記第２の多孔度Ｐ２が少なくとも約５０％である、請求項２４に記載の二次電池。
【請求項２６】
前記第１の多孔度Ｐ１に対する前記第２の多孔度Ｐ２の比が少なくとも１．１：１である、請求項２４〜２５のうちいずれかに記載の二次電池。
【請求項２７】
前記二次電池が、０．１Ｃで少なくとも５ｍＡ・ｈ／ｃｍ２の面容量を有する、請求項１から２６のいずれかに記載の二次電池。
【請求項２８】
前記二次電池が、少なくとも７５％の１Ｃ：Ｃ／１０のレート性能を有する、請求項２７に記載の二次電池。
【請求項２９】
前記一群のカソード構造の部材が、マトリクス中に分散した粒子を有するカソード活物質の層を含む、先行する請求項１〜２８のいずれかに記載の二次電池。
【請求項３０】
前記カソード活物質層が、ポリマー材料を含むマトリクス中に分散した、遷移金属酸化物、遷移金属硫化物、遷移金属窒化物、リチウム遷移金属酸化物、リチウム遷移金属硫化物、およびリチウム遷移金属窒化物のうちの１つからなる群から選択されるカソード活物質の粒子を含む、請求項２８に記載の二次電池。
【請求項３１】
前記カソード活物質層が、前記カソード活物質が点在するフィラー粒子をさらに含み、前記フィラー粒子が、炭素粒子およびポリマー含有ビーズのうちの少なくとも１つを含む、請求項２９〜３０のうちいずれかに記載の二次電池。
【請求項３２】
前記微孔質セパレータ材料が、ポリマーマトリクス中に点在する絶縁粒子を有する可撓性膜を含む、請求項１から３１のいずれかに記載の二次電池。
【請求項３３】
前記一群のカソード構造の部材が、１００ｐｓｉで断面積Ｃの少なくとも５％の減少を呈する、請求項１から３２のいずれかに記載の二次電池。
【請求項３４】
前記一次制約システムが、前記二次電池の２０回の連続サイクルにわたる前記電極アセンブリの前記長手方向におけるフェレット直径のいかなる増加も２０％未満であるように、前記電極アセンブリの前記長手方向における増大を抑制する、請求項１に記載の二次電池。
【請求項３５】
前記二次増大制約システムが、前記二次電池の反復サイクル時に２０回の連続サイクルにわたって前記電極アセンブリの前記第２の方向におけるフェレット直径のいかなる増加も２０％未満であるように、前記電極アセンブリの前記第２の方向への増大を抑制する、請求項１に記載の二次電池。
【請求項３６】
充電状態と放電状態との間でサイクルするための二次電池の形成方法であって、前記二次電池が、電池筐体、電極アセンブリ、キャリアイオン、および前記電池筐体内の非水性液体電解質を含み、前記電極アセンブリが、一群のアノード構造、一群のカソード構造、および前記一群のアノード構造および前記一群のカソード構造の部材を電気的に分離する電気絶縁性微孔質セパレータ材料を有し、前記一群のアノード構造および前記一群のカソード構造の部材が、長手方向に交互に並んで配置され、前記一群のアノード構造の部材が、前記二次電池の充電時に断面積Ａで膨張するアノード活物質層を含み、前記一群のカソード構造の部材が、断面積Ｃを有する圧縮性カソード活物質層を含み、前記断面積が前記長手方向に平行である第１の長手方向面において測定され、前記方法が、
初期形成段階において、前記一群のカソード構造のサブセットの部材の断面積が、前記初期形成段階前の初期断面積Ｃｉから、前記初期形成段階前の前記初期断面積Ｃｉの９５％未満である前記初期形成段階後の形成後断面積Ｃｆまで減少するように、前記一群のアノード構造の部材における前記アノード活物質層の断面積における膨張が前記一群のカソード構造の前記圧縮性カソード活物質層を圧縮するように前記二次電池を充電することを備える、方法。
【請求項３７】
前記形成後断面積Ｃｆが前記初期断面積Ｃｉの９０％未満である、請求項３６に記載の方法。
【請求項３８】
前記形成後断面積Ｃｆが前記初期断面積Ｃｉの８０％未満である、請求項３６〜３７のうちいずれかに記載の方法。
【請求項３９】
前記形成後断面積Ｃｆが前記初期断面積Ｃｉの７０％未満である、請求項３６〜３８のうちいずれかに記載の方法。
【請求項４０】
前記一群のカソード構造の部材が、ポリマー材料のマトリクス中にカソード活物質の粒子を含む圧縮性カソード活物質層を含み、前記圧縮性カソード活物質層が、前記カソード活物質層中の粒子の第１の体積％から前記カソード活物質層中の粒子の第２の体積％まで圧縮され、前記第２の体積％が前記第１の体積％よりも高い、請求項３６〜３９のうちいずれかに記載の方法。
【請求項４１】
前記微孔質セパレータがポリマー材料を含む可撓性膜を含み、前記初期形成段階が、前記一群のカソード構造および前記一群のアノード構造の両方の部材に前記微孔質セパレータを少なくとも部分的に接着する圧力で前記カソード構造およびアノード構造に対して前記微孔質セパレータを圧縮する、請求項３６〜４０のうちいずれかに記載の方法。
【請求項４２】
前記初期形成ステップが、少なくとも１０００ｐｓｉの圧力で前記カソード構造およびアノード構造に対して前記微孔質セパレータを圧縮する、請求項３６〜４１のうちいずれかに記載の方法。
【請求項４３】
前記初期形成ステップが、少なくとも３０００ｐｓｉの圧力で前記カソード構造およびアノード構造に対して前記微孔質セパレータを圧縮する、請求項３６〜４２のうちいずれかに記載の方法。
【請求項４４】
前記初期形成ステップが、少なくとも１０，０００ｐｓｉの圧力で前記カソード構造およびアノード構造に対して前記微孔質セパレータを圧縮する、請求項３６〜４３のいずれかに記載の方法。
【請求項４５】
充電状態と放電状態との間でサイクルするための二次電池の形成方法であって、前記二次電池が、電池筐体、電極アセンブリ、キャリアイオン、および前記電池筐体内の非水性液体電解質を含み、前記電極アセンブリが、一群のアノード構造、一群のカソード構造、および前記一群のアノードおよび前記一群の圧縮性カソード構造の部材を電気的に分離する電気絶縁性微孔質セパレータを有し、前記一群のアノード構造および前記一群のカソード構造の部材が、長手方向に交互に並んで配置され、前記一群のアノード構造の部材が、前記二次電池の充電時に断面積Ａで膨張するアノード活物質層を含み、前記一群のカソード構造の部材が、断面積Ｃを有する圧縮性カソード活物質層を含み、前記断面積が前記長手方向に平行である第１の長手方向面において測定され、前記方法が、
初期形成ステップにおいて、前記圧縮性カソード活物質層の断面積Ｃに接触するとともに、前記カソード構造の前記圧縮性カソード活物質層および前記アノード構造の前記アノード活物質層に前記微孔質セパレータを少なくとも部分的に接着する圧力で、一群のアノード構造の部材におけるアノード活物質層の膨張が前記カソード構造の前記圧縮性カソード活物質層に対して前記微孔質セパレータを圧縮するように、前記二次電池を充電することを備え、
前記二次電池の放電および前記アノード活物質層の断面積Ａの収縮の際に、前記圧縮性カソード活物質層および前記アノード活物質層への前記微孔質セパレータの少なくとも部分的な接着により、前記圧縮性カソード活物質層の断面積Ｃにおける膨張が起こる、方法。
【請求項４６】
電池筐体、電極アセンブリ、キャリアイオン、および前記電池筐体内の非水性液体電解質を含む、充電状態と放電状態との間でサイクルするための二次電池であって、
前記電極アセンブリが、一群のアノード構造、一群のカソード構造、および前記一群のアノード構造および前記一群のカソード構造の部材を電気的に分離する電気絶縁性微孔質セパレータ材料を含み、
前記電極アセンブリが、前記二次電池のサイクルにおける前記電極アセンブリの前記長手方向への増大を少なくとも部分的に抑制する一組の電極制約部をさらに含み、
前記一群のアノード構造の部材がアノード活物質を含み、前記アノード活物質が、前記二次電池が放電状態から充電状態に充電されるときにアノード活物質のモルあたり複数モルのキャリアイオンを受容する容量を有し、
前記一群のカソード構造の部材が多孔質カソード活物質を含み、放電状態において前記非水性液体電解質が占める前記多孔質カソード活物質の体積Ｖ２が、充電状態において前記非水性電解質が占める前記多孔質カソード活物質の体積Ｖ１よりも大きく、
前記充電状態が、前記二次電池の定格容量の少なくとも７５％であり、前記放電状態が、前記二次電池の定格容量の２５％未満である、二次電池。
【請求項４７】
前記非水性液体電解質が占める前記多孔質カソード活物質の体積Ｖ１に対するＶ２の比が、少なくとも１．１：１である、請求項４６に記載の二次電池。
【請求項４８】
電池筐体、電極アセンブリ、キャリアイオン、および前記電池筐体内の非水性液体電解質を含む、充電状態と放電状態との間でサイクルするための二次電池であって、
前記電極アセンブリが、一群のアノード構造、一群のカソード構造、および前記一群のアノード構造および前記一群のカソード構造の部材を電気的に分離する電気絶縁性微孔質セパレータ材料を含み、
前記一群のアノード構造の部材がアノード活物質を含み、前記一群のカソード構造の部材がカソード活物質を含み、
前記一群のカソード構造の部材が、０．１Ｃで少なくとも５ｍＡ・ｈ／ｃｍ２の面容量、および充電状態から放電状態への放電について少なくとも８０％の１Ｃ：Ｃ／１０のレート性能を有し、
前記充電状態が、前記二次電池の定格容量の少なくとも７５％であり、前記放電状態が、前記二次電池の定格容量の２５％未満である、二次電池。
【請求項４９】
前記面容量が、０．１Ｃにおいて少なくとも８ｍＡ・ｈ／ｃｍ２である、請求項４８に記載の二次電池。
【請求項５０】
前記二次電池が、充電状態から放電状態への放電について少なくとも９０％の１Ｃ：Ｃ／１０のレート性能を有する、請求項４８〜４９のうちいずれかに記載の二次電池。
【請求項５１】
電池筐体、電極アセンブリ、キャリアイオン、および前記電池筐体内の非水性液体電解質を含む、充電状態と放電状態との間でサイクルするための二次電池であって、
前記電極アセンブリが、一群のアノード構造、一群のカソード構造、および前記一群のアノード構造および前記一群のカソード構造の部材を電気的に分離する電気絶縁性微孔質セパレータ材料を含み、前記一群のアノード構造および前記一群のカソード構造の部材が、長手方向に交互に並んで配置され、
前記一群のアノード構造の各部材がアノード活物質層を含み、前記一群のカソード構造の各部材がカソード活物質層を含み、
前記一群のカソード構造の各部材が、前記二次電池が充電状態にあるときに第１の断面積Ｃ１を有し、前記二次電池が放電状態にあるときに第２の断面積Ｃ２を有し、放電状態における前記カソード構造の断面積Ｃ２が、充電状態における前記カソード構造の第１の断面積Ｃ１よりも大きく、前記一群のカソード構造の部材のサブセットの第１の断面積Ｃ１に対する前記一群のカソード構造の部材のサブセットの第２の断面積Ｃ２の比が、充電状態から放電状態への前記二次電池の放電時に少なくとも１．０５：１であり、
前記充電状態が、前記二次電池の定格容量の少なくとも７５％であり、前記放電状態が、前記二次電池の定格容量の２５％未満である、二次電池。
【請求項５２】
前記第１の断面積Ｃ１に対する前記第２の断面積Ｃ２の比が、１．０５：１から６：１の範囲内である、請求項５１に記載の二次電池。
【請求項５３】
前記電極アセンブリが、充電状態と放電状態との間の前記二次電池のサイクル時に前記電極アセンブリの前記長手方向への増大を少なくとも部分的に抑制する一組の電極制約部をさらに含む、請求項１から５２のいずれかに記載の二次電池。
【請求項５４】
前記一組の電極制約部が、
第１および第２の一次増大制約部および少なくとも１つの一次接続部材を備える一次制約システムを備え、前記第１および第２の一次増大制約部が前記長手方向に互いに離間し、前記少なくとも１つの一次接続部材が前記第１および第２の一次増大制約部を接続し、前記一次制約システムが、前記二次電池のサイクル時に前記電極アセンブリの前記長手方向における増大を少なくとも部分的に抑制する、請求項１から５３のいずれかに記載の二次電池。
【請求項５５】
前記一次制約システムが、前記二次電池の２０回の連続サイクルにわたる前記電極アセンブリの前記長手方向におけるフェレット直径のいかなる増加も２０％未満であるように、前記電極アセンブリの前記長手方向における増大を抑制する、請求項１から５４のいずれかに記載の二次電池。
【請求項５６】
前記一組の電極制約部が、
第２の方向に分離され且つ少なくとも１つの二次接続部材によって接続された第１および第２の二次増大制約部を含む二次制約システムをさらに含み、前記二次制約システムが、前記二次電池のサイクル時に前記電極アセンブリの第２の方向への増大を少なくとも部分的に抑制し、前記第２の方向が前記長手方向に対して直交している、請求項１から５５のいずれかに記載の二次電池。
【請求項５７】
前記二次増大制約システムが、前記二次電池の反復サイクル時に２０回の連続サイクルにわたって前記電極アセンブリの前記第２の方向におけるフェレット直径のいかなる増加も２０％未満であるように、前記電極アセンブリの前記第２の方向への増大を抑制する、請求項１から５６のいずれかに記載の二次電池。